(57)【要約】【課題】換気機能を有する空気調和装置の室内機において、フィルタの塵埃を室内へ吹出させるのを抑制しつつ室外に廃棄できるようにする。【解決手段】ケーシング１２内の空間は、室内への吹出し口１５が開口するとともに熱交換器２６が配設される内側空間３１と、給排気口１６及び室内空気の吸込み口１４が開口する外側空間３２とを有する。フィルタ駆動手段は、第１フィルタ２９が吸込み口１４と熱交換器２６との間に位置するとともに、第２フィルタ３０が給排気口１６と吹出し口１５との間に位置する停止モードと、各フィルタ２９，３０の一方の面が外側空間３２に対面する状態を維持しつつ第１フィルタ２９と第２フィルタ３０とを互いに入れ換える駆動モードとを有する。【選択図】図１
2008180461.tif 000002
【特許請求の範囲】
【請求項１】
給排気口を通して室内空気の換気を行う換気機能を有する空気調和装置の室内機であって、
ケーシングと第１のフィルタ手段と第２のフィルタ手段とフィルタ駆動手段とを備え、
前記ケーシング内の空間は、室内への吹出し口が開口するとともに熱交換器が配設される内側空間と、前記給排気口及び室内空気の吸込み口が開口する外側空間とを有し、
前記フィルタ駆動手段は、前記両フィルタ手段の一方が前記吸込み口と前記熱交換器との間に位置するとともに、前記両フィルタ手段の他方が前記給排気口と前記吹出し口との間に位置する停止モードと、前記両フィルタ手段が、その一方の面が前記外側空間に対面する状態を維持するように、前記第１のフィルタ手段と前記第２のフィルタ手段とを互いに入れ換える駆動モードとを有する室内機。
【請求項２】
前記内側空間には、前記吹出し口に向かって空気を吹出すとともに前記給排気口に面するフィルタ手段に向かって空気を吹出し可能な送風手段が設けられている請求項１に記載の室内機。
【請求項３】
前記外側空間には、前記フィルタ手段に付着した塵埃を掃き落とすためのブラシが設けられている請求項１又は２に記載の室内機。
【請求項４】
前記外側空間には、前記フィルタ手段から除去された塵埃を受ける回収手段が前記フィルタ手段の幅方向に沿って延びるように設けられ、
前記回収手段は、前記給排気口に近づくにしたがって降下する傾斜状の受け面を有する請求項１から３の何れか１項に記載の室内機。
【請求項５】
前記フィルタ駆動手段は、前記駆動モードにおいて前記吹出し口を遮らないように前記両フィルタ手段を駆動する請求項１から４の何れか１項に記載の空気調和装置用室内機。
【請求項６】
前記フィルタ駆動手段は、室内機運転時に前記両フィルタ手段を定期的に駆動する請求項１から５の何れか１項に記載の室内機。
【請求項７】
前記駆動モードでは、前記給排気口からの給気が停止される請求項１から６の何れか１項に記載の室内機。
【請求項８】
前記駆動モードでは、前記給排気口からの排気が許容される請求項７に記載の室内機。
【請求項９】
請求項１から８の何れか1項に記載の室内機と、
室外機と、
前記室内機の前記給排気口を一端部に備え、他端部が前記室外機内に配置される給排気管と、
前記室外機内に設けられ、前記給排気管を通した給気及び排気を行うための給排気手段と、を備えている空気調和装置。
【発明の詳細な説明】
【技術分野】
【０００１】
本発明は、室内機及び空気調和装置に関するものである。
【背景技術】
【０００２】
従来、空気調和装置の室内機として、下記特許文献１〜４に開示されているように、フィルタに付着した塵埃を除去する手段が設けられているものが知られている。例えば、特許文献１の室内機では、フィルタから除去された塵埃を回収するゴミ回収箱と、このゴミ回収箱から室外に延びる排気管と、ゴミ回収箱に回収された塵埃を排気管を通して室外に廃棄させる排気ファンとが設けられている。すなわち、この特許文献１の室内機では、室内機内で回収された塵埃を排気管を通して室外に廃棄するようにしている。一方、特許文献２〜４の室内機では、フィルタから除去された塵埃を室内機内の回収箱に回収するようになっている。
【特許文献１】特開２００４−１３８３２９号公報
【特許文献２】特開平５−１８７６５４号公報
【特許文献３】特開２００６−９８０３７号公報
【特許文献４】特開２００４−２８６２３４号公報
【発明の開示】
【発明が解決しようとする課題】
【０００３】
前記特許文献１に開示された室内機では、排気ファンを駆動することによって排気管を通してゴミ回収箱内の塵埃を室外に廃棄する構成なので、排気管を通した給排気を行うことができるものではない。このため、この構成の室内機には換気機能を持たせることはできないという問題がある。また、前記特許文献２〜４については、何れも掻き取った塵埃を室内機内の回収箱に回収する構成なので、回収箱の交換等のメンテナンスが必要となる。
【０００４】
そこで、本発明は、かかる点に鑑みてなされたものであり、その目的とするところは、換気機能を有する空気調和装置の室内機において、フィルタの塵埃を室内へ吹出させるのを抑制しつつ室外に廃棄できるようにすることにある。
【課題を解決するための手段】
【０００５】
前記の目的を達成するため、本発明は、給排気口を通して室内空気の換気を行う換気機能を有する空気調和装置の室内機であって、ケーシングと第１のフィルタ手段と第２のフィルタ手段とフィルタ駆動手段とを備え、前記ケーシング内の空間は、室内への吹出し口が開口するとともに熱交換器が配設される内側空間と、前記給排気口及び室内空気の吸込み口が開口する外側空間とを有し、前記フィルタ駆動手段は、前記両フィルタ手段の一方が前記吸込み口と前記熱交換器との間に位置するとともに、前記両フィルタ手段の他方が前記給排気口と前記吹出し口との間に位置する停止モードと、前記両フィルタ手段が、その一方の面が前記外側空間に対面する状態を維持するように、前記第１のフィルタ手段と前記第２のフィルタ手段とを互いに入れ換える駆動モードとを有する室内機である。
【０００６】
本発明では、停止モードにおいて、吸込み口を通してケーシング内に吸い込まれた室内空気に含まれる塵埃が一方のフィルタ手段によって除去される。また、給排気口からケーシング内に給気が行われるときには、給気された室外空気に含まれる塵埃が他方のフィルタ手段によって除去される。このため、吹出し口を通して室内に塵埃が吹出されるのを抑制することができる。また、一方の面が給排気口に面している他方のフィルタ手段では、給排気口を通してケーシング内の空気が室外に排気される排気時に、当該フィルタ手段に付着している塵埃を一緒に室外に廃棄することができる。そして、駆動モードでは、フィルタ手段の一方の面が常時外側空間に対面する状態を維持するように移動させながら両フィルタ手段を入れ換えられるため、フィルタ手段に付着した塵埃が内側空間内に進入することはなく、給排気口を通して室外空気が給気される場合にも塵埃が室内に吹出されるのを抑制することができる。また従来のように、ゴミ回収箱の交換の手間がかかることもない。さらに、両フィルタ手段が互いに入れ替わるようにフィルタ駆動手段によって駆動させる構成なので、室外機側にフィルタ手段を設ける必要がなくなる。このため、フィルタ手段の清掃を室内機側でのみ行うことができる。
【０００７】
ここで、前記内側空間には、前記吹出し口に向かって空気を吹出すとともに前記給排気口に面するフィルタ手段に向かって空気を吹出し可能な送風手段が設けられているのが好ましい。
【０００８】
この態様では、フィルタ手段に付着した塵埃を送風手段から吹出された空気によって除去することができる。したがって、塵埃の除去性能を向上することができる。
【０００９】
また、前記外側空間には、前記フィルタ手段に付着した塵埃を掃き落とすためのブラシが設けられているのが好ましい。
【００１０】
この態様では、フィルタ手段が駆動されるときにブラシによって塵埃が除去されるので、ブラシに駆動力を付与する機構を設けなくても、フィルタ手段の移動によって塵埃を除去することができる。
【００１１】
また、前記外側空間には、前記フィルタ手段から除去された塵埃を受ける回収手段が前記フィルタ手段の幅方向に沿って延びるように設けられるのが好ましく、この場合には、前記回収手段は、前記給排気口に近づくにしたがって降下する傾斜状の受け面を有するのが好ましい。
【００１２】
この態様では、回収手段の受け面に回収された塵埃が給排気口の近くに集められ易くなるので、給排気口を通して塵埃を室外に廃棄し易くすることができる。
【００１３】
また、前記フィルタ駆動手段は、前記駆動モードにおいて前記吹出し口を遮らないように前記両フィルタ手段を駆動するのが好ましい。
【００１４】
この態様では、駆動モード時に吹出し口から室内への送風を行う場合であっても、フィルタ手段に付着した塵埃が吹出し口を通して室内に吹出されるのを回避することができる。
【００１５】
また、前記フィルタ駆動手段は、室内機運転時に前記両フィルタ手段を定期的に駆動するのが好ましい。
【００１６】
この態様では、フィルタ手段に塵埃が溜まり難くすることができる。
【００１７】
また、前記駆動モードでは、前記給排気口からの給気が停止されるのが好ましい。
【００１８】
この態様では、両フィルタ手段が入れ換えられているときに給気が停止されるので、給排気口から送られてきた室外空気に含まれた塵埃がフィルタ手段を通過しないという事態が生ずることを回避することができる。
【００１９】
この態様において、前記駆動モードでは、前記給排気口からの排気が許容されるのがより好ましい。
【００２０】
この態様では、塵埃が室内に吹出されるのを回避しつつ換気機能が損なわれるのを低減することができる。
【００２１】
本発明は、前記室内機と、室外機と、前記室内機の前記給排気口を一端部に備え、他端部が前記室外機内に配置される給排気管と、前記室外機内に設けられ、前記給排気管を通した給気及び排気を行うための給排気手段と、を備えている空気調和装置である。
【発明の効果】
【００２２】
以上説明したように、本発明によれば、換気機能を有する空気調和装置の室内機において、フィルタの塵埃を室内へ吹出させるのを抑制しつつ室外に廃棄することができる。
【発明を実施するための最良の形態】
【００２３】
以下、本発明を実施するための最良の形態について図面を参照しながら詳細に説明する。
【００２４】
図１は、本発明による室内機の一実施形態を概略的に示す、側方から見たときの断面図である。同図に示すように本実施形態に係る室内機１０は、いわゆる壁掛けタイプの室内機１０である。すなわち、室内機１０の後面（図１における右面）が壁に接触する状態で壁に固定される室内機１０である。
【００２５】
室内機１０は、図略の冷媒配管を通して室外機（図示省略）と接続されており、室内機１０と室外機とにより空気調和装置が構成されている。室外機のケーシング内には、圧縮機、室外側熱交換器、膨張弁等が主要な構成要素として配設されている。
【００２６】
室内機１０は、横長のケーシング１２を有しており、このケーシング１２は、平面状の後面部１２ａ、湾曲状の前面部１２ｂ、上面部１２ｃ及び下面部１２ｄを備えている。前面部１２ｂにおける上部から上面部１２ｃにおける前部に亘って吸込み口１４が設けられ、前面部１２ｂにおける下部には、吹出し口１５が設けられている。また、後面部１２ａにおける下端部には、給排気口１６が設けられている。
【００２７】
ケーシング１２内には、上面部１２ｃにおける後部から後面部１２ａに亘る範囲でこれらに沿うように後部仕切り壁１８が設けられている。また、ケーシング１２内における吹出し口１５の上縁部及び下縁部には、それぞれ上側前部仕切り壁１９及び下側前部仕切り壁２０が設けられている。後部仕切り壁１８の上端部と上側前部仕切り壁１９との間が開口部（第１開口部）２２となっていて、この第１開口部２２は吸込み口１４に対応する範囲を含むように形成されている。したがって、吸込み口１４を通してケーシング１２内に導入された室内空気は第１開口部２２を通過することになる。
【００２８】
また、後部仕切り壁１８の下端部と下側前部仕切り壁２０との間が開口部（第２開口部）２４となっていて、この第２開口部２４は給排気口１６に対応する範囲を含むように形成されている。したがって、給排気口１６を通してケーシング１２内に導入された室外空気は第２開口部２４を通過することになる。第１開口部２２は吸込み口１４と熱交換器２６との間に位置し、第２開口部２４は給排気口１６と吹出し口１５との間に位置している。
【００２９】
ケーシング１２内には、第１のフィルタ手段としての第１フィルタ２９と、第２のフィルタ手段としての第２フィルタ３０とが設けられている。両フィルタ２９，３０は、空気中に含まれる塵埃を捕捉するためのものである。図１は、第１フィルタ２９が第１開口部２２を塞ぎ、第２フィルタ３０が第２開口部２４を塞いでいる状態を示している。以降の説明では、特に言及のない限り、第１フィルタ２９が第１開口部２２を塞ぐ第１位置にあり、第２フィルタ３０が第２開口部２４を塞ぐ第２位置にある状態を前提とする。
【００３０】
ケーシング１２内の空間は２つの空間に仕切られている。すなわち、２つの空間の境界は、後部仕切り壁１８、上側前部仕切り壁１９、下側前部仕切り壁２０、第１フィルタ２９及び第２フィルタ３０によって構成されている。ただし、第１フィルタ２９及び第２フィルタ３０は、後述するように移動可能に構成されているため、これらフィルタ２９，３０が静止位置にあるときに両空間の仕切りとして機能することになる。なお、ここでいう「仕切る」とは、空気中に含まれる塵埃が通過できないように空間を仕切ることを意味しており、空気自体の通過があったとしてもこの「仕切る」の概念に含まれる。
【００３１】
前記２つの空間とは、内側空間３１と外側空間３２であり、外側空間３２は、吹出し口１５を除く範囲で内側空間３１を囲むように形成されている。外側空間３２には、前記吸込み口１４と前記給排気口１６が開口している。
【００３２】
内側空間３１には前記吹出し口１５が開口している。内側空間３１には、熱交換器２６と送風手段としてのファン３４とが配設されている。熱交換器２６は、少なくとも第１開口部２２に対応する位置に配置されており、吸込み口１４を通して導入された室内空気と冷媒との間で熱交換を行う。熱交換器２６は、内側空間３１の前側及び上側に沿うように折れ曲がった形状に形成されている。そして、この熱交換器２６の下方にファン３４が配置されている。ファン３４は、駆動することによって室内空気をケーシング１２内に吸入する一方、ケーシング１２内の空気を、吹出し口１５を通して室内に吹出させる。ファン３４から吹出された空気は、第２開口部２４にも直接当たるようになっている。これにより第２開口部２４に配置された第２フィルタ３０がファン３４による正圧を直接受けるので、このフィルタ３０に付着した塵埃を除去可能となっている。
【００３３】
給排気口１６には、給排気管３６が接続されている。給排気管３６は、給排気口１６を一端部に備え、他端部は図略の室外機内に配置されている。したがって、第２開口部２４に配置されたフィルタ３０から除去された塵埃は給排気管３６を通して室外に廃棄可能となっている。
【００３４】
空気調和装置は、室内空気の換気を行う換気機能を有する。すなわち、室外機に給排気管３６を通した給気及び排気を行うための給排気手段（図示省略）が設けられていて、この給排気手段によって室内空気の換気が行われるようになっている。具体的には、給排気手段は、切換部と、この切換部を介して給排気管３６に接続される給排気用ファンとを有しており、切換部は給排気用ファンの吸入側と吐出側の何れかが給排気管３６に連通するように接続を切り換える。そして、給排気用ファンの吸入側が給排気管３６に連通する状態で給排気用ファンが駆動すると、室内機１０のケーシング１２内の空気が給排気管３６を通して室外に排気される（排気状態）一方、給排気用ファンの吐出側が給排気管３６に連通する状態で給排気用ファンが駆動すると、室外空気が給排気管３６を通して室内機１０のケーシング１２内に給気される（給気状態）。
【００３５】
室内機１０には、２つのフィルタ２９，３０を互いに入れ換えるように駆動するためのフィルタ駆動手段３７が設けられている。このフィルタ駆動手段３７は、フィルタ２９，３０の搬送を行う搬送部と、この搬送部を制御する駆動制御部３８とを備えている。
【００３６】
搬送部は、互いに間隔をおいて配置された複数のプーリ４０と、モータ４１と、複数のプーリ４０に掛け渡され、モータ４１の駆動によって走行するベルト４２とを備えている。ベルト４２は、プーリ４０に対して内側に位置する内側スパンと、プーリ４０に対して外側に位置する外側スパンとが連続して形成され、無端ベルトとして構成されている。
【００３７】
プーリ４０は、吹出し口１５を除いて内側空間３１を囲むように外側空間３２の全域に亘って配設されている。そして、ベルト４２は、第１開口部２２、後部仕切り壁１８及び第２開口部２４に沿って配設されている。すなわち、ベルト４２は、吹出し口１５を横切らないように配設されている。
【００３８】
第１フィルタ２９及び第２フィルタ３０は、ベルト４２に取り付けられていて、ベルト４２が走行するとそれぞれ第１開口部２２と第２開口部２４との間をベルト４２と一緒になって移動する。このとき両フィルタ２９，３０は、それぞれ後部仕切り壁１８の外側を通る。一方のフィルタ（例えば第１フィルタ２９）は、ベルト４２の内側のスパンに固定されていて、他方のフィルタ（例えば第２フィルタ３０）は、ベルト４２の外側のスパンに固定されている。そして、一方のフィルタ２９，３０が第１開口部２２を塞ぐ位置に来たときに、他方のフィルタ３０，２９が第２開口部２４を塞ぐ位置に来るように、両フィルタ２９，３０の取り付け位置が設定されている。両フィルタ２９，３０によって開口部２２，２４が塞がれる位置が、両フィルタ２９，３０の静止位置となる。
【００３９】
駆動制御部３８は、マイコン等によって構成されており、停止モードと駆動モードを実行可能に構成されている。停止モードは、モータ４１を停止させておくモードであり、駆動モードはモータ４１を駆動してベルト４２を走行させるモードである。停止モードでは、第１開口部２２及び第２開口部２４がそれぞれフィルタ２９，３０によって塞がれている。一方、駆動モードでは、両フィルタ２９，３０を互いに入れ換えるように両フィルタ２９，３０が駆動され、第１位置と第２位置との間を往復する。この駆動モードでは、第１開口部２２及び第２開口部２４がフィルタ２９，３０によって塞がれない状態が存在する。
【００４０】
駆動制御部３８は、室内機１０の運転時に定期的に駆動モードを実行する。したがって、定期的にモータ４１が駆動されて、両フィルタ２９，３０が定期的に入れ換えられる。すなわち駆動制御部３８には図略のタイマーが設けられていて、このタイマーによる計時に基づいて、フィルタ２９，３０を駆動する時間が制御される。
【００４１】
駆動制御部３８は、ベルト４２の内側スパンに取り付けられた一方のフィルタ（例えば第１フィルタ２９）が常時ベルト４２の内側スパンの状態であり、かつ、外側スパンに取り付けられた他方のフィルタ（例えば第２フィルタ３０）が常時ベルト４２の外側スパンの状態であるように、モータ４１を駆動させるたびにベルト４２の走行方向を切り替える。これにより、両フィルタ２９，３０は、それぞれ外側面が常時外側面となるように維持しながら、第１開口部２２を塞ぐ第１位置と、第２開口部２４を塞ぐ第２位置との間を行き来する。
【００４２】
また駆動制御部３８は、駆動モードのときには、前記給排気手段が給気状態にあるか否かを判断するとともに、給気状態にある場合には、給気を停止させるための信号を出力する。なお、給排気手段が排気状態にある場合には、排気を停止しない。
【００４３】
外側空間３２には、ブラシ４５と回収手段としての回収部材４７が配設されている。ブラシ４５は、後部仕切り壁１８とケーシング１２の後面部１２ａとの間の空間の少し下方に設けられている。そして、ブラシ４５は、そこを通過するフィルタ２９，３０が内側スパンに取り付けられているか、外側スパンに取り付けられているかに拘らず、フィルタ２９，３０に付着した塵埃を掃き落とすようになっている。
【００４４】
回収部材４７は、ブラシ４５の真下に配置されている。回収部材４７は、図２に示すように、ケーシング１２の幅方向に延びるように細長い形状に形成されている。言い換えると、回収部材４７はフィルタ２９，３０の幅方向に沿って延びるように設けられている。そして、ケーシング１２の幅方向端部に給排気口１６が開口しており、回収部材４７は、給排気口１６に近接するところまで延びている。
【００４５】
回収部材４７は、断面Ｖ字状に形成されており、その上面が塵埃を受けるための受け面４７ａとなっている。回収部材４７は、給排気口１６側に近づくに従って降下するように長手方向に傾斜した姿勢で配置されている。したがって、受け面４７ａも給排気口１６側に近づくに従って降下する傾斜状に形成されている。
【００４６】
次に、この空調機の運転動作について図３を参照しながら説明する。
【００４７】
運転開始指令が図外のリモコンから出力されると（ステップＳＴ１）、室外機の圧縮機が駆動するとともに室内機１０のファン３４が駆動する（ステップＳＴ２）。これにより、吸込み口１４から室内機１０内に取り込まれた室内空気は、熱交換器２６で熱交換されて、吹出し口１５を通して室内に吹出される。このときには、フィルタ駆動用のモータ４１が停止している（停止モード）。そして、第１開口部２２を塞いでいる第１フィルタ２９では、吸込み口１４を通して吸い込まれた室内空気に含まれる塵埃が捕捉される。また、室内換気のために給排気手段が給気状態にあれば、室外空気が給排気管３６を通して室内機１０内に導入されるため、室外空気に含まれている塵埃が第２開口部２４を塞いでいる第２フィルタ３０によって捕捉される。
【００４８】
そして、運転開始により計時が開始され（ステップＳＴ３）、所定時間が経過したか否かが判定される（ステップＳＴ４）。すなわち、フィルタ２９，３０を入れ換える時間に該当するか否かが判断される。そして、所定時間が経過したと判定されたときには、両フィルタ２９，３０を入れ換えるべくモータ４１を駆動する（ステップＳＴ５）。これにより、ベルト４２が走行し、第１開口部２２を塞いでいた第１フィルタ２９が第２開口部２４に向かって移動するとともに、第２開口部２４を塞いでいた第２フィルタ３０が第１開口部２２に向かって移動する。このとき、ベルト４２の走行方向は前回の走行方向とは逆の方向となっている。そして、フィルタ２９，３０に付着した塵埃が移動途中で第２開口部２４近傍のブラシ４５によって掃き落とされる。フィルタ２９，３０から除去された塵埃は、回収部材４７上に溜められる。
【００４９】
フィルタ２９，３０の入れ換え時には、室内換気のための給気状態にあるか否かを判定し（ステップＳＴ６）、給気状態にあれば給気を停止すべく、給排気用ファンを停止する（ステップＳＴ７）。これにより、両フィルタ２９，３０が移動中で第２開口部２４が開放されているときには、給排気管３６を通した室外空気の給気は停止される。これは、回収部材４７に溜まった塵埃が、開放されている第２開口部２４を通して室内に吹出されるのを回避するためである。
【００５０】
そして、第１フィルタ２９と第２フィルタ３０とが入れ替わり、それぞれ所定位置に来るとモータ４１が停止される。モータ４１が停止するまでは給気停止の状態が維持され、モータ４１が停止されると（ステップＳＴ８）、給気が再開される（ステップＳＴ９）。そして、計時リセットされるとともに（ステップＳＴ１０）、再度ステップＳＴ３以降が実行される。すなわち、運転中は定期的にフィルタ２９，３０が入れ換えられる。
【００５１】
モータ４１を駆動する場合において（ステップＳＴ５）、給気状態でない場合（ステップＳＴ６の判定がＮＯの場合）、例えば排気状態にある場合には排気が停止されることはない。すなわち、排気状態である場合には、第２開口部２４が開放されていても回収部材４７に溜まった塵埃が室内側に吹出されることはないため、排気状態が継続される。また、室内機１０が換気を行うことなく空調運転を行っている場合にもその運転がそのまま継続される。そして、両フィルタ２９，３０がそれぞれ所定位置まで来るとモータ４１が停止され（ステップＳＴ１１）、それ以降、前記同様の制御が実行される。
【００５２】
以上説明したように、本実施形態によれば、停止モードにおいて、吸込み口１４を通してケーシング１２内に吸い込まれた室内空気に含まれる塵埃が第１フィルタ２９によって除去される。また、給排気口１６を通した給気が行われるときには、ケーシング１２内に給気された室外空気に含まれる塵埃が第２フィルタ３０によって除去される。このため、吹出し口１５を通して室内に塵埃が吹出されるのを抑制することができる。また、一方の面が給排気口１６に面している第２フィルタ３０では、給排気口１６を通してケーシング１２内の空気が室外に排気される排気時に、当該フィルタ３０に付着している塵埃を一緒に室外に廃棄することができる。そして、駆動モードでは、第１開口部２２側のフィルタ２９が第２開口部２４側に移動する際に、その一方の面が外側空間３２に対面する状態を維持しながら移動し、第２開口部２４の位置でその一方の面が給排気口１６に面するように移動するため、フィルタ２９に付着した塵埃が内側空間３１内に進入することはなく、給排気口１６を通して室外空気が給気される場合にも塵埃が室内に吹出されるのを抑制することができる。また従来のようにゴミ回収箱の交換の手間がかかることもない。さらに、両フィルタ２９，３０が互いに入れ替わるようにフィルタ駆動手段によって両フィルタ２９，３０を駆動させる構成なので、室外機側にフィルタを設ける必要がなくなる。このため、フィルタ２９，３０の清掃を室内機１０側でのみ行うことができる。
【００５３】
また本実施形態では、ファン３４が給排気口１６に面する第２フィルタ３０に向かって空気を吹出し可能となっているので、このフィルタ３０に付着した塵埃をファン３４から吹出された空気によって除去することができる。したがって、塵埃の除去性能を向上することができる。
【００５４】
また本実施形態では、フィルタ２９，３０の移動途中で塵埃を掻き落とすためのブラシ４５が設けられているので、ブラシ４５に駆動力を付与する機構を設けなくても、フィルタ２９，３０の移動によって塵埃を除去することができる。
【００５５】
また本実施形態では、回収部材４７の受け面４７ａが給排気口１６に近づくとともに降下する傾斜状に構成されているので、受け面４７ａに回収された塵埃が給排気口１６の近くに集められ易くなり、これにより、給排気口１６を通して塵埃を室外に廃棄し易くすることができる。
【００５６】
また本実施形態では、両フィルタ２９，３０が吹出し口１５を遮らないように移動する構成としているので、駆動モード時に吹出し口１５から室内への送風を行う場合であっても、フィルタ２９，３０に付着した塵埃が吹出し口１５を通して室内に吹出されるのを回避することができる。
【００５７】
また本実施形態では、室内機１０運転時に両フィルタ２９，３０を定期的に入れ換えるようにしているので、フィルタ２９，３０に塵埃が溜まり難くすることができる。
【００５８】
また本実施形態では、駆動モードに給排気口１６を通した給気を停止するようにしているので、給排気口１６から送られてきた室外空気に含まれた塵埃がフィルタ２９，３０を通過しないという事態が生ずることを回避することができる。しかも、回収部材４７の受け面４７ａに溜まった塵埃が、給排気口１６を通して給気された室外空気によって吹き飛ばされるのを防止することができる。このため、回収部材４７を箱状等の閉鎖空間状に構成する必要がなく、落ちてきた塵埃を単に受けるだけの簡単な形状に構成することが可能となっている。
【００５９】
また本実施形態では、駆動モードのときに排気まで制限するものではないため、塵埃が室内に吹出されるのを回避しつつ換気機能が損なわれるのを抑制することができる。
【００６０】
なお、本発明は、前記実施形態に限られるものではなく、その趣旨を逸脱しない範囲で種々変更、改良等が可能である。例えば、本実施形態ではフィルタ２９，３０を２つ備える構成としたが、フィルタ２９，３０は、３つ以上設けられていてもよい。つまり、搭載された３つ以上のフィルタのうち２つのフィルタ２９，３０によって第１開口部２２及び第２開口部２４が塞がれる構成であればよい。
【００６１】
また、駆動モードに排気を制限しない構成にしたが、駆動モードのときに排気も制限する構成としてもよい。また、駆動モードでは、室内へ空気を吹出させるためのファン３４の風量を制約してもいいし、しなくてもいい。
【図面の簡単な説明】
【００６２】
【図１】本発明の実施形態にかかる室内機を概略的に示す断面図である。
【図２】前記室内機に設けられた回収部材を説明するための図である。
【図３】前記室内機の制御動作を説明するためのフロー図である。
【符号の説明】
【００６３】
１２    ケーシング
１４    吸込み口
１５    吹出し口
１６    給排気口
２２    第１開口部
２４    第２開口部
２６    熱交換器
２９    第１フィルタ
３０    第２フィルタ
３１    内側空間
３２    外側空間
３４    ファン
３６    給排気管
３７    フィルタ駆動手段
３８    駆動制御部
４０    プーリ
４１    モータ
４２    ベルト
４５    ブラシ
４７    回収部材
４７ａ  受け面
【図１】
2008180461.tif 000003
【図２】
2008180461.tif 000004
【図３】
2008180461.tif 000005